(57)【要約】【課題】この発明は、表示装置の電源ＯＦＦ時に表示パネル全体が黒色にて統一されたように感じさせることができ、表示パネル全体の一体感を演出することが可能となり、商品力の向上に貢献できる表示装置を実現することを目的とする。【解決手段】この発明は、表示パネルと、光源とから構成された表示装置であって、表示パネルは、黒色にて構成された非照明領域と、光源から発せられる光が表示パネルを透過することが可能な照明領域とから構成され、照明領域は、光源に近い方から順に、光を透過する樹脂層と、表示照明色層と、スモーク層とから構成され、表示パネルを見た場合、電源ＯＮ時には表示照明色を視認でき、電源ＯＦＦ時にはスモーク層により表示照明色を視認できないことを特徴とする。【選択図】図１
2012148599.tif 000002
【特許請求の範囲】
【請求項１】
表示パネルと、光源とから構成された表示装置であって、
前記表示パネルは、黒色にて構成された非照明領域と、光源から発せられる光が表示パネルを透過することが可能な照明領域とから構成され、
前記照明領域は、前記光源に近い方から順に、光を透過する樹脂層と、表示照明色層と、スモーク層とから構成され、
前記表示パネルを見た場合、電源ＯＮ時には表示照明色を視認でき、電源ＯＦＦ時には前記スモーク層により表示照明色を視認できないことを特徴とする表示装置。
【請求項２】
前記照明領域は、前記樹脂層に表示照明色層を印刷し、前記表示照明色層の表面にスモーク層を印刷することにより形成されることを特徴とする請求項１に記載の表示装置。
【請求項３】
前記光源は、白色ＬＥＤであることを特徴とする請求項１または請求項２に記載の表示装置。
【発明の詳細な説明】
【技術分野】
【０００１】
この発明は表示装置に係り、特に、電源ＯＮ時には表示パネルの文字や図形などを明確に視認でき、電源ＯＦＦ時には表示パネルをブラックアウトして文字や図形などを視認できないようにした表示装置に関する。
【背景技術】
【０００２】
車両のインストルメントパネル等の、照明用の光源により文字等を照明して表示させる表示装置には、図７に示すものがある。図７において、２０１は表示装置である。表示装置２０１は、図７（Ａ）に示すように、黒色の「下地」をベース２０２として、白色の「図形」のシンボルマーク２０３やオレンジ色の「ＣＤ」の文字２０４などを表示する意匠面２０５を備えている。表示装置２０１は、図７（Ｂ）に示すように、内部に空間を有する構造体２０６の一側に配置した表示パネル２０７と、構造体２０６の他側に配置した光源である白色ＬＥＤ２０８とオレンジ色ＬＥＤ２０９とから構成される。
前記表示パネル２０７は、光を拡散する拡散シート２１０と、光を透過する白色の樹脂層２１１と、文字や図形、絵柄などを形成するための塗装層２１２とを有している。前記塗装層２１２は、樹脂層２１１上において、前記意匠面２０５のベース２０２となる部分に黒色の塗料Ｐｂを塗布して光の透過を不能とする一方、白色のシンボルマーク２０３やオレンジ色の文字２０４となる部分に黒色の塗料Ｐｂを不塗装として白色光やオレンジ色光の透過を可能としている。
前記白色ＬＥＤ２０７は、塗装層２１２の白色のシンボルマーク２０３に向けて、構造体２０６のカバーパネル２１３に取り付けられている。前記オレンジ色ＬＥＤ２０８は、塗装層２１２のオレンジ色の文字２０４に向けて、構造体２０６の一部を構成する基板２１３に取り付けられている。白色ＬＥＤ２０８及びオレンジ色ＬＥＤ２０９の間には、白色とオレンジ色が混ざらないように仕切り板２１４を設けている。白色ＬＥＤ２０８及びオレンジ色ＬＥＤ２０９は、白色のシンボルマーク２０３及びオレンジ色の文字２０４にそれぞれ照射される。
これより、表示パネル２０７は、黒色にて構成されたベース２０２の部分の非照明領域２１５と、光源の白色ＬＥＤ２０８及びオレンジ色ＬＥＤ２０９から発せられる光が表示パネル２０７を透過することが可能な白色のシンボルマーク２０３及びオレンジ色の文字２０４の部分の照明領域２１６とから構成される。
表示装置２０１は、電源ＯＮによって白色ＬＥＤ２０８及びオレンジ色ＬＥＤ２０９を発光させると、白色ＬＥＤ２０８から発せられる光が表示パネル２０７の照明領域２１６のシンボルマーク２０３に照射されてシンボルマーク２０３を白色に発色させ、オレンジ色ＬＥＤ２０９から発せられる光が照明領域２１６の文字２０４に照射されて文字２０４をオレンジ色に発色させる。これにより、表示装置２０１は、ユーザが表示パネル２０７を見た場合、シンボルマーク２０３の白色や、文字２０４のオレンジ色を視認させることができる。また、表示装置２０１は、外部から照射される光の反射光でユーザに黒色のベース２０２を視認させることができる。
【０００３】
従来の表示装置には、パネル本体の凹凸部を有する非照明領域の表面側に遮光性を有する塗料を塗布し、パネル本体の裏面側で非照明領域の凹凸部を含む特定領域にパネル本体への光源からの入光を妨げる遮光層を設け、凹凸部からの光漏れを防止するものがある。（特許文献１）
従来の表示装置には、表示パネルは表面側の主止フィルムと裏面側の基板とで構成され、樹脂フィルムの表面に光不透過性の第一の層部とスイッチ外周に沿う形状の無層部とを形成し、樹脂フィルムの裏面に無層部と対称に光不透過性の第二の層部を形成することで、光を樹脂フィルムの光不透過性の第二の層部に干渉させ、無層部から間接的に外部に照射させることで、夜間等のスイッチ視認性を向上するものがある。（引用文献２）
【先行技術文献】
【特許文献】
【０００４】
【特許文献１】特開２００８−３０８１２９号公報
【特許文献２】特開２０００−２７６９６７号公報
【発明の開示】
【発明が解決しようとする課題】
【０００５】
ところで、前記図７に示す表示装置２０１は、意匠面２０５に白色のシンボルマーク２０３やオレンジ色の文字２０４を表示するために、２つの白色ＬＥＤ２０８及びオレンジ色ＬＥＤ２０９を設けている。このため、表示装置２０１は、白色とオレンジ色が混ざらないように、白色ＬＥＤ２０８及びオレンジ色ＬＥＤ２０９の間を仕切る仕切り板２１４を設ける必要がある。
また、表示装置２０１は、白色ＬＥＤ２０８及びオレンジ色ＬＥＤ２０９の間に仕切り板２１４を設けていることから、仕切り板２１４の板厚や、仕切り板２１４から白色ＬＥＤ２０８、オレンジ色ＬＥＤ２０９の搭載に必要な距離を確保する必要がある。このため、表示装置２０１は、意匠面２０５の白色のシンボルマーク２０３とオレンジ色の文字２０４との距離を近づけることができない問題がある。
さらに、表示装置２０１は、表示パネル２０７の樹脂層２１１上に、塗装層２１２として意匠面２０５のベース部２０２となる部分に黒色の塗料Ｐｂを塗布する一方、白色のシンボルマーク２０３やオレンジ色の文字２０４となる部分に黒色の塗料Ｐｂを不塗装としている。このため、表示装置２０１は、電源ＯＦＦ時に白色のシンボルマーク２０３及びオレンジ色の文字２０４の下層の白色の樹脂層２１１が見えてしまい、表示パネル２０７をブラックアウトすることができず、表示パネル２０７を黒色にて統一されたように感じさせることができない問題がある。
【０００６】
この発明は、表示装置の電源ＯＦＦ時に表示パネル全体がブラックアウトして黒色にて統一されたように感じさせることができ、表示パネル全体の一体感を演出することが可能となり、商品力の向上に貢献できる表示装置を実現することを目的とする。
【課題を解決するための手段】
【０００７】
この発明は、表示パネルと、光源とから構成された表示装置であって、前記表示パネルは、黒色にて構成された非照明領域と、光源から発せられる光が表示パネルを透過することが可能な照明領域とから構成され、前記照明領域は、前記光源に近い方から順に、光を透過する樹脂層と、表示照明色層と、スモーク層とから構成され、前記表示パネルを見た場合、電源ＯＮ時には表示照明色を視認でき、電源ＯＦＦ時には前記スモーク層により表示照明色を視認できないことを特徴とする。
【発明の効果】
【０００８】
この発明の表示装置は、照明領域が照明されていない電源ＯＦＦ時に、スモーク層により表示照明色が見えないので、ユーザから見て表示パネル全体が、非照明領域だけでなく、照明領域も含めてブラックアウトし、黒色にて統一されたように感じさせることができる。これにより、この発明の表示装置は、表示パネル全体の一体感を演出することが可能となり、商品力の向上に貢献できる。
【図面の簡単な説明】
【０００９】
【図１】図１（Ａ）は表示装置の意匠面の正面図、図１（Ｂ）は図１（Ａ）のＢ−Ｂ線による断面図である。（実施例１）
【図２】図２は表示パネルの詳細断面図である。（実施例１）
【図３】図３（Ａ）は表示装置の意匠面の正面図、図３（Ｂ）は図３（Ａ）のＢ−Ｂ線による断面図である。（実施例２）
【図４】図４は表示パネルの詳細断面図である。（実施例２）
【図５】図５は電源ＯＮ時の表示装置の正面図である。（実施例２）
【図６】図６は電源ＯＦＦ時の表示装置の正面図である。（実施例２）
【図７】図７（Ａ）は表示装置の意匠面の正面図、図７（Ｂ）は図７（Ａ）のＢ−Ｂ線による断面図である。（従来例）
【発明を実施するための形態】
【００１０】
以下、図面に基づいて、この発明の実施例を説明する。
【実施例１】
【００１１】
図１・図２は、この発明の実施例１を示すものである。図１において、１は表示装置である。表示装置１は、図１（Ａ）に示すように、黒色の「下地」をベース２として、白色の「図形」のシンボルマーク３やオレンジ色の「ＣＤ」の文字４などを表示する意匠面５を備えている。表示装置１は、図１（Ｂ）に示すように、内部に空間を有する構造体６の一側に配置した表示パネル７と、構造体６の他側に配置した光源である白色ＬＥＤ８とから構成される。
前記表示パネル７は、図２に示すように、白色ＬＥＤ８に近い方から順に、光を拡散する拡散シート９と、光を透過する透明でスモーク色の樹脂層１０と、接着層１１と、文字や図形、絵柄などを形成するための表示照明色層１２と、ＵＶ（ｕｌｔｒａｖｉｏｌｅｔ：紫外線）硬化層１３とを有している。前記表示照明色層１２は、樹脂層１０上において、前記意匠面５のベース２となる部分に黒色のインクＩｂを印刷して光の透過を不能とし、白色のシンボルマーク３となる部分を無色（透明）のインクＩｗで印刷して白色光の透過を可能とし、オレンジ色の文字４となる部分をオレンジ色のインクＩｏで印刷してオレンジ色光の透過を可能としている。
前記白色ＬＥＤ８は、表示照明色層１２の白色のシンボルマーク３やオレンジ色の文字４に向けて、構造体６の一部を構成する基板１４に取り付けられている。白色ＬＥＤ８から発せられる光は、黒色のベース２、白色のシンボルマーク３、オレンジ色の文字４に照射される。
これより、表示パネル７は、光源の白色ＬＥＤ８から発せられる光が表示パネル７を透過することが不可能な黒色にて構成されたベース２の部分の非照明領域１５と、光源の白色ＬＥＤ８から発せられる光が表示パネル７を透過することが可能な白色のシンボルマーク３及びオレンジ色の文字４の部分の照明領域１６とから構成される。また、照明領域１６は、白色ＬＥＤ８に近い方から順に、光を透過する樹脂層１０と、表示照明色層１２とから構成される。
表示装置１は、電源ＯＮによって白色ＬＥＤ８を発光させると、白色ＬＥＤ８から発せられる光が表示パネル７の照明領域１６の白色のシンボルマーク３及びオレンジ色の文字４に照射されて、シンボルマーク３を白色に発色させ、文字４をオレンジ色に発色させる。これにより、表示装置１は、ユーザが表示パネル１０７を見た場合、表示照明色であるシンボルマーク３の白色や、文字４のオレンジ色を視認させることができる。また、表示装置１は、外部から照射される光の反射光でユーザに黒色のベース２を視認させることができる。
【００１２】
このように、表示装置１は、表示パネル７の樹脂層１０上に光が透過することが不可能な黒色のベース２と、光が透過することが可能な白色のシンボルマーク３及びオレンジ色の文字４とから構成される表示照明色層１２を形成しているので、光源として１つの白色ＬＥＤ８によって白色のシンボルマーク３やオレンジ色の文字４を発色させることができる。
これにより、この表示装置１は、１つの白色ＬＥＤ８しか必要としないため、従来のように構造体内に仕切り板を設ける必要がなくなり、仕切り板を不要としたことで、意匠面５の白色のシンボルマーク３とオレンジ色の文字４を直近に配置することができる。
【実施例２】
【００１３】
図３・図４は、この発明の実施例２を示すものである。図３において、１０１は表示装置である。表示装置１０１は、図３（Ａ）に示すように、黒色の「下地」をベース１０２として、白色の「図形」のシンボルマーク１０３やオレンジ色の「ＣＤ」の文字１０４などを表示する意匠面１０５を備えている。表示装置１０１は、図３（Ｂ）に示すように、内部に空間を有する構造体１０６の一側に配置した表示パネル１０７と、構造体１０６の他側に配置した光源である白色ＬＥＤ１０８とから構成される。
前記表示パネル１０７は、図４に示すように、光を拡散する拡散シート１０９と、光を透過する透明でスモーク色の樹脂層１１０と、接着層１１１と、文字や図形、絵柄などを形成するための表示照明色層１１２と、スモーク層１１３と、下地を形成する黒色層１１４と、ＵＶ（ｕｌｔｒａｖｉｏｌｅ：紫外線）硬化層１１５とを有している。
前記表示照明色層１１２は、樹脂層１１０上において、前記意匠面１０５のシンボルマーク１０３となる部分を無色（透明）のインクＩｗで印刷して白色光の透過を可能とし、文字１０４となる部分をオレンジ色のインクＩｏで印刷してオレンジ色光の透過を可能としている。前記スモーク層１１３は、表示照明色層１１２の表面にスモーク色のインクＩｓを印刷して形成する。なお、スモーク層１１３は、表示照明色層１１２の全面でなく、白色のシンボルマーク３となる印刷部分及びオレンジ色の文字４となる印刷部分だけに印刷しても良い。また、前記黒色層１１４は、前記意匠面１０５のベース１０２となる部分であり、スモーク層１１３上において、白色のシンボルマーク３となる印刷部分及びオレンジ色の文字４となる印刷部分を除いて、黒色のインクＩｂで印刷して形成する。
前記白色ＬＥＤ１０８は、表示照明色層１１２の白色のシンボルマーク１０３やオレンジ色の文字１０４に向けて、構造体１０６の一部を構成する基板１１６に取り付けられている。白色ＬＥＤ１０８から発せられる光は、黒色のベース１０２、白色のシンボルマーク１０３、オレンジ色の文字１０４に照射される。
これより、表示パネル１０７は、光源の白色ＬＥＤ１０８から発せられる光が表示パネル１０７を透過することが不可能な黒色にて構成されたベース２の部分の非照明領域１１７と、光源の白色ＬＥＤ１０８から発せられる光が表示パネル１０７を透過することが可能な白色のシンボルマーク１０３及びオレンジ色の文字１０４の部分の照明領域１１８とから構成される。照明領域１１８は、白色ＬＥＤ１０８に近い方から順に、光を透過する樹脂層１１０と、表示照明色層１１２と、スモーク層１１３とから構成される。また、照明領域１１８は、樹脂層１１０に表示照明色層１１２を印刷し、表示照明色層１１２の表面にスモーク層１１３を印刷して形成される。
表示装置１０１は、電源ＯＮによって白色ＬＥＤ１０８を発光させると、白色ＬＥＤ１０８から発せられる光が表示パネル１０７の照明領域１１８の白色のシンボルマーク１０３及びオレンジ色の文字１０４に照射されて、シンボルマーク１０３を白色に発色させ、文字１０４をオレンジ色に発色させる。これにより、表示装置１０１は、ユーザが表示パネル１０７を見た場合、表示照明色であるシンボルマーク１０３の白色や、文字１０４のオレンジ色を視認させることができる。このとき、表示照明色層１１２の表面はスモーク層１１３に覆われているが、輝度が高い白色ＬＥＤ１０８を光源としているので、表示照明色層１１２を視認させることができる。また、表示装置１０１は、外部から照射される光の反射光で黒色のベース１０２を視認させることができる。（図５参照）
一方、表示装置１０１は、電源ＯＦＦによって白色ＬＥＤ１０８を消光すると、照明領域１１８の白色のシンボルマーク１０３及びオレンジ色の文字１０４が発色されなくなる。これにより、表示装置１０１は、ユーザが表示パネル１０７を見た場合、表示照明色であるシンボルマーク１０３の白色や、文字１０４のオレンジ色を視認させることがなくなり、表示照明色層１１２の表面に印刷したスモーク層１１３を視認させることができる。また、表示装置１０１は、外部から照射される光の反射光で黒色のベース１０２を視認させることができるので、表示パネル１０４全体が黒色に統一されたように視認させることができる。（図６参照）
【００１４】
このように、表示装置１０１は、表示パネル１０７の樹脂層１１０上に光が透過することが不可能な黒色のベース１０２と光が透過することが可能な白色のシンボルマーク１０３及びオレンジ色の文字１０４とから構成される表示照明色層１１２を形成しているので、光源として１つの白色ＬＥＤ１０８によって白色のシンボルマーク１０３やオレンジ色の文字１０４を発色させることができる。
これにより、この表示装置１０１は、１つの白色ＬＥＤ１０８しか必要としないため、従来のように構造体内に仕切り板を設ける必要がなくなり、仕切り板が不要としたことで、意匠面１０５の白色のシンボルマーク１０３とオレンジ色の文字１０４を直近に配置することができる。
さらに、表示装置１０１は、電源ＯＦＦによって白色ＬＥＤ１０８を消光すると、表示照明色層１１２の表面のスモーク層１１３を視認させ、また、黒色のベース１０２を視認させることで、ユーザが表示パネル１０７を見た場合、電源ＯＮ時には表示照明色を視認でき、電源ＯＦＦ時にはスモーク層１１３により表示照明色を視認できない。
このように、表示装置１０１は、照明領域１１８が照明されていない電源ＯＦＦ時に、スモーク層１１３により表示照明色が見えないので、ユーザから見て表示パネル１０７の全体が、非照明領域１１７だけでなく、照明領域１１８も含めてブラックアウトし、黒色にて統一されたように感じさせることができる。これにより、表示装置１０１は、表示パネル１０７全体の一体感を演出することが可能となり、商品力の向上に貢献できる。
また、表示装置１０１は、樹脂層１１０に表示照明色層１１２を印刷し、表示照明色層１１２の表面にスモーク層１１３を印刷することにより照明領域１１８を形成している。
このように、表示装置１０１は、表示照明色層１１２の表面にスモーク層を重ね塗りするだけの構成であるため、特別な装置、作業工程を必要としないので、作業工程の時間増加を最小限に抑えることが可能である。
さらに、表示装置１０１は、輝度が高い白色ＬＥＤ１０８を光源としているので、発光時においては表示照明色層１１２の表面がスモーク層１１３に覆われていても、表示照明色層１１２を視認させることができる。
【産業上の利用可能性】
【００１５】
この発明は、表示装置の電源ＯＦＦ時に表示パネル全体が黒色にて統一されたように感じさせ、表示パネル全体の一体感を演出可能とし、商品力の向上に貢献できるものであり、例えば、車両に搭載される意匠パネル（操作パネル）全般、家電の意匠パネル（例えば、ミニコンポ、プリンタなどの操作パネル）全般、携帯電話の操作パネルなどにも使用可能である。特に、フラットなタッチパルと本構成の組み合わせにおいては、電源ＯＦＦ時にブラックアウトした一面の実現が可能となり、デザイン面においても活用できる。
【符号の説明】
【００１６】
１  表示装置
２  ベース
３  シンボルマーク
４  文字
５  意匠面
６  構造体
７  表示パネル
８  白色ＬＥＤ
９  拡散シート
１０  樹脂層
１１  接着層
１２  表示照明色層
１３  ＵＶ硬化層
１４  基板
１５  非照明領域
１６  照明領域
【図１】
2012148599.tif 000003
【図２】
2012148599.tif 000004
【図３】
2012148599.tif 000005
【図４】
2012148599.tif 000006
【図７】
2012148599.tif 000007
【図５】
2012148599.tif 000008
【図６】
2012148599.tif 000009